(57)【特許請求の範囲】
【請求項１】
移動端末と無線基地局とを具備している移動通信システムであって、
前記無線基地局は、配下のセルにおいて、報知情報によって、ローミング状態にある第１タイプの移動端末のアクセスを規制するためのローミング状態用第１アクセス情報、及び、ローミング状態にある第２タイプの移動端末のアクセスを規制するためのローミング状態用第２アクセス情報を通知することができるように構成されており、
前記移動端末は、該移動端末のアクセスクラス、前記第１タイプ或いは前記第２タイプのどちらに属するか、通常状態或いは前記ローミング状態のいずれの状態にあるか、及び、前記ローミング状態用第１アクセス情報、前記ローミング状態用第２アクセス情報のどれが通知されているかに基づいて、アクセスが規制されているか否かについて判定するように構成されており、
前記ローミング状態用第１アクセス情報は、ローミング状態にある通常のＭＴＣデバイス用のアクセス情報であり、前記ローミング状態用第２アクセス情報は、ローミング状態にある低優先度のＭＴＣデバイス用のアクセス情報であることを特徴とする移動通信システム。
【請求項２】
前記通常状態は、前記移動端末がホームネットワークに登録されている状態、或いは、前記セルにおける報知情報に該ホームネットワークの識別情報が含まれている状態であり、
前記ローミング状態は、前記移動端末がホームネットワークに登録されていない状態、或いは、前記セルにおける報知情報に該ホームネットワークの識別情報が含まれていない状態であることを特徴とする請求項１に記載の移動通信システム。
【請求項３】
移動端末であって、
前記移動端末のアクセスクラス、第１タイプ或いは第２タイプのどちらに属するか、通常状態或いはローミング状態のいずれの状態にあるか、及び、報知情報によって、ローミング状態にある第１タイプの移動端末のアクセスを規制するためのローミング状態用第１アクセス情報、ローミング状態にある第２タイプの移動端末のアクセスを規制するためのローミング状態用第２アクセス情報のどれが通知されているかに基づいて、アクセスが規制されているか否かについて判定するように構成されており、
前記ローミング状態用第１アクセス情報は、ローミング状態にある通常のＭＴＣデバイス用のアクセス情報であり、前記ローミング状態用第２アクセス情報は、ローミング状態にある低優先度のＭＴＣデバイス用のアクセス情報であることを特徴とする移動端末。
【請求項４】
前記通常状態は、前記移動端末がホームネットワークに登録されている状態、或いは、前記セルにおける報知情報に該ホームネットワークの識別情報が含まれている状態であり、
前記ローミング状態は、前記移動端末がホームネットワークに登録されていない状態、或いは、前記セルにおける報知情報に該ホームネットワークの識別情報が含まれていない状態であることを特徴とする請求項３に記載の移動端末。
【請求項５】
前記移動端末は、ＡＳ（ＲＲＣ）機能と、ＮＡＳ機能と、汎用加入者識別モジュールとを具備しており、
前記ＡＳ（ＲＲＣ）機能は、前記汎用加入者識別モジュールから、前記移動端末のアクセスクラスを取得するように構成されており、
前記ＡＳ（ＲＲＣ）機能は、前記ＮＡＳ機能から、前記移動端末が前記第１タイプ或いは前記第２タイプのどちらに属するかについて示すタイプ情報を取得するように構成されており、
前記ＡＳ（ＲＲＣ）機能は、前記報知情報を受信するように構成されており、
前記ＡＳ（ＲＲＣ）機能は、前記判定を行うように構成されていることを特徴とする請求項３又は４に記載の移動端末。
【発明の詳細な説明】
【技術分野】
【０００１】
本発明は、移動通信システム及び移動端末に関する。
【背景技術】
【０００２】
ＬＴＥ（Ｌｏｎｇ  Ｔｅｒｍ  Ｅｖｏｌｕｔｉｏｎ）方式では、車載型移動端末ＵＥ（Ｕｓｅｒ  Ｅｑｕｉｐｍｅｎｔ）のようなＭＴＣ（Ｍａｃｈｉｎｅ  Ｔｙｐｅ  Ｃｏｍｍｕｎｉｃａｔｉｏｎ）デバイスを用いることができるように構成されている。
【先行技術文献】
【非特許文献】
【０００３】
【非特許文献１】３ＧＰＰ  ＲＰ-１０１０２６
【非特許文献２】３ＧＰＰ  ＴＳ３６.３３１  ｖ９.４.０
【発明の概要】
【発明が解決しようとする課題】
【０００４】
しかしながら、従来のＬＴＥ方式では、かかるＭＴＣデバイスのアクセスを適切に規制するための手段が既定されていないという問題点があった。
【０００５】
特に、ローミング状態にあるＭＴＣデバイスとローミング状態に無い通常状態のＭＴＣデバイスとを区別してアクセスを規制することができないという問題点があった。
【０００６】
そこで、本発明は、上述の課題に鑑みてなされたものであり、ＭＴＣデバイスのアクセスを適切に規制することができる移動通信システム及び移動端末を提供することを目的とする。
【課題を解決するための手段】
【０００７】
本発明の第１の特徴は、移動端末と無線基地局とを具備している移動通信システムであって、前記無線基地局は、配下のセルにおいて、報知情報によって、通常状態にある第１タイプの移動端末のアクセスを規制するための通常状態用第１アクセス情報、通常状態にある第２タイプの移動端末のアクセスを規制するための通常状態用第２アクセス情報、ローミング状態にある第１タイプの移動端末のアクセスを規制するためのローミング状態用第１アクセス情報、及び、ローミング状態にある第２タイプの移動端末のアクセスを規制するためのローミング状態用第２アクセス情報を通知することができるように構成されており、前記移動端末は、該移動端末のアクセスクラス、前記第１タイプ或いは前記第２タイプのどちらに属するか、前記通常状態或いは前記ローミング状態のいずれの状態にあるか、及び、前記通常状態用第１アクセス情報、前記通常状態用第２アクセス情報、前記ローミング状態用第１アクセス情報、前記ローミング状態用第２アクセス情報のどれが通知されているかに基づいて、アクセスが規制されているか否かについて判定するように構成されていることを要旨とする。
【０００８】
本発明の第２の特徴は、移動端末であって、前記移動端末のアクセスクラス、第１タイプ或いは第２タイプのどちらに属するか、通常状態或いはローミング状態のいずれの状態にあるか、及び、報知情報によって、通常状態にある第１タイプの移動端末のアクセスを規制するための通常状態用第１アクセス情報、通常状態にある第２タイプの移動端末のアクセスを規制するための通常状態用第２アクセス情報、ローミング状態にある第１タイプの移動端末のアクセスを規制するためのローミング状態用第１アクセス情報、ローミング状態にある第２タイプの移動端末のアクセスを規制するためのローミング状態用第２アクセス情報のどれが通知されているかに基づいて、アクセスが規制されているか否かについて判定するように構成されていることを要旨とする。
【発明の効果】
【０００９】
以上説明したように、本発明によれば、ＭＴＣデバイスのアクセスを適切に規制することができる移動通信システム及び移動端末を提供することができる。
【図面の簡単な説明】
【００１０】
【図１】本発明の第１の実施形態に係る移動通信システムの全体構成図である。
【図２】本発明の第１の実施形態に係る移動端末の機能ブロック図である。
【図３】本発明の第１の実施形態に係る移動端末の動作を示すフローチャートである。
【図４】本発明の第１の実施形態に係る移動端末の動作を示すフローチャートである。
【発明を実施するための形態】
【００１１】
（本発明の第１の実施形態に係る移動通信システム）
図１及び図２を参照して、本発明の第１の実施形態に係る移動通信システムの構成について説明する。
【００１２】
本実施形態に係る移動通信システムは、ＬＴＥ方式の移動通信システムであって、図１に示すように、無線基地局ｅＮＢと、移動端末ＵＥとを具備している。
【００１３】
ここで、無線基地局ｅＮＢは、図１に示すように、配下のセルにおいて、報知情報によって、通常状態にある「Ｎｏｒｍａｌ  ＭＴＣ」の移動端末ＵＥのアクセスを規制するための「ａｃ-Ｂａｒｒｉｎｇ  Ｆｏｒ  Ｎｏｒｍａｌ  ＭＴＣ」、通常状態にある「Ｌｏｗ  Ｐｒｉｏｒｉｔｙ  ＭＴＣ」の移動端末ＵＥのアクセスを規制するための「ａｃ-Ｂａｒｒｉｎｇ  Ｆｏｒ  Ｌｏｗ  Ｐｒｉｏｒｉｔｙ  ＭＴＣ」、ローミング状態にある「Ｎｏｒｍａｌ  ＭＴＣ」の移動端末ＵＥのアクセスを規制するための「ａｃ-Ｂａｒｒｉｎｇ  Ｆｏｒ  Ｎｏｒｍａｌ  ＭＴＣ-ｒｏａｍｉｎｇ」、及び、ローミング状態にある「Ｌｏｗ  Ｐｒｉｏｒｉｔｙ  ＭＴＣ」の移動端末ＵＥのアクセスを規制するための「ａｃ-Ｂａｒｒｉｎｇ  Ｆｏｒ  Ｌｏｗ  Ｐｒｉｏｒｉｔｙ  ＭＴＣ-ｒｏａｍｉｎｇ」を通知することができるように構成されている。
【００１４】
なお、無線基地局ｅＮＢは、従来のＬＴＥ方式の場合と同様に、配下のセルにおいて、報知情報によって、ＭＴＣデバイスとして設定されていない通常の移動端末ＵＥのアクセスを規制するための「ａｃ-Ｂａｒｒｉｎｇ  Ｆｏｒ  ＭＯ-Ｄａｔａ（発信規制）」や「ａｃ-Ｂａｒｒｉｎｇ  Ｆｏｒ  ＭＯ-Ｓｉｇｎａｌｉｎｇ（位置登録・Ａｔｔａｃｈ規制）」を通知することもできるように構成されている。
【００１５】
また、「ａｃ-Ｂａｒｒｉｎｇ  Ｆｏｒ  Ｎｏｒｍａｌ  ＭＴＣ」、「ａｃ-Ｂａｒｒｉｎｇ  Ｆｏｒ  Ｌｏｗ  Ｐｒｉｏｒｉｔｙ  ＭＴＣ」、「ａｃ-Ｂａｒｒｉｎｇ  Ｆｏｒ  Ｎｏｒｍａｌ  ＭＴＣ-ｒｏａｍｉｎｇ」及び「ａｃ-Ｂａｒｒｉｎｇ  Ｆｏｒ  Ｌｏｗ  Ｐｒｉｏｒｉｔｙ  ＭＴＣ-ｒｏａｍｉｎｇ」は、それぞれ「ａｃ-Ｂａｒｒｉｎｇ  Ｆｏｒ  ＳｐｅｃｉａｌＡＣ」と「ａｃ-Ｂａｒｒｉｎｇ  Ｆａｃｔｏｒ」と「ａｃ-Ｂａｒｒｉｎｇ  Ｔｉｍｅ」とからなる１組の情報要素を有していてもよい。
【００１６】
或いは、「ａｃ-Ｂａｒｒｉｎｇ  Ｆｏｒ  Ｎｏｒｍａｌ  ＭＴＣ」、「ａｃ-Ｂａｒｒｉｎｇ  Ｆｏｒ  Ｌｏｗ  Ｐｒｉｏｒｉｔｙ  ＭＴＣ」、「ａｃ-Ｂａｒｒｉｎｇ  Ｆｏｒ  Ｎｏｒｍａｌ  ＭＴＣ-ｒｏａｍｉｎｇ」及び「ａｃ-Ｂａｒｒｉｎｇ  Ｆｏｒ  Ｌｏｗ  Ｐｒｉｏｒｉｔｙ  ＭＴＣ-ｒｏａｍｉｎｇ」は、それぞれ、発信規制用の「ａｃ-Ｂａｒｒｉｎｇ  Ｆｏｒ  ＳｐｅｃｉａｌＡＣ」と「ａｃ-Ｂａｒｒｉｎｇ  Ｆａｃｔｏｒ」と「ａｃ-Ｂａｒｒｉｎｇ  Ｔｉｍｅ」とからなる組、及び、位置登録・Ａｔｔａｃｈ規制の「ａｃ-Ｂａｒｒｉｎｇ  Ｆｏｒ  ＳｐｅｃｉａｌＡＣ」と「ａｃ-Ｂａｒｒｉｎｇ  Ｆａｃｔｏｒ」と「ａｃ-Ｂａｒｒｉｎｇ  Ｔｉｍｅ」とからなる組を有していてもよい。
【００１７】
さらに、無線基地局ｅＮＢは、報知情報によって、「ａｃ-Ｂａｒｒｉｎｇ  Ｆｏｒ  ＳｐｅｃｉａｌＡＣ」と「ａｃ-Ｂａｒｒｉｎｇ  Ｆａｃｔｏｒ」と「ａｃ-Ｂａｒｒｉｎｇ  Ｔｉｍｅ」からなる１組の情報要素、及び、かかる情報要素が「ａｃ-Ｂａｒｒｉｎｇ  Ｆｏｒ  Ｎｏｒｍａｌ  ＭＴＣ」、「ａｃ-Ｂａｒｒｉｎｇ  Ｆｏｒ  Ｌｏｗ  Ｐｒｉｏｒｉｔｙ  ＭＴＣ」、「ａｃ-Ｂａｒｒｉｎｇ  Ｆｏｒ  Ｎｏｒｍａｌ  ＭＴＣ-ｒｏａｍｉｎｇ」及び「ａｃ-Ｂａｒｒｉｎｇ  Ｆｏｒ  Ｌｏｗ  Ｐｒｉｏｒｉｔｙ  ＭＴＣ-ｒｏａｍｉｎｇ」のどれに適用するべきかを示すフラグを通知するように構成されていてもよい。
【００１８】
さらに、無線基地局ｅＮＢは、報知情報によって、「ａｃ-Ｂａｒｒｉｎｇ  Ｆｏｒ  Ｎｏｒｍａｌ  ＭＴＣ」、「ａｃ-Ｂａｒｒｉｎｇ  Ｆｏｒ  Ｌｏｗ  Ｐｒｉｏｒｉｔｙ  ＭＴＣ」、「ａｃ-Ｂａｒｒｉｎｇ  Ｆｏｒ  Ｎｏｒｍａｌ  ＭＴＣ-ｒｏａｍｉｎｇ」及び「ａｃ-Ｂａｒｒｉｎｇ  Ｆｏｒ  Ｌｏｗ  Ｐｒｉｏｒｉｔｙ  ＭＴＣ-ｒｏａｍｉｎｇ」が完全に規制されるか否かについて示すフラグを通知するように構成されていてもよい。
【００１９】
完全に規制されることを示すフラグが報知されていない場合には、別に報知される「ａｃ-Ｂａｒｒｉｎｇ  Ｆｏｒ  ＳｐｅｃｉａｌＡＣ」と「ａｃ-Ｂａｒｒｉｎｇ  Ｆａｃｔｏｒ」と「ａｃ-Ｂａｒｒｉｎｇ  Ｔｉｍｅ」とからなる１組の情報要素が適用されるように構成されていてもよい。
【００２０】
ここで、「ａｃ-Ｂａｒｒｉｎｇ  Ｆｏｒ  ＳｐｅｃｉａｌＡＣ」は、ＡＣ１１〜１５のいずれの移動端末ＵＥをアクセス規制対象とすべきかについて示す情報であり、例えば、５ビットからなる。
【００２１】
また、「ａｃ-Ｂａｒｒｉｎｇ  Ｆａｃｔｏｒ」には、０〜１００の範囲の値を設定することができ、「ａｃ-Ｂａｒｒｉｎｇ  Ｔｉｍｅ」には、アクセス規制を行う時間（Ｔ３０３タイマ又はＴ３０５タイマの設定時間）を設定することができる。
【００２２】
図２に示すように、移動端末ＵＥは、設定部１１と、ＵＳＩＭ（Ｕｎｉｖｅｒｓａｌ  Ｓｕｂｓｃｒｉｂｅｒ  Ｉｄｅｎｔｉｔｙ  Ｍｏｄｕｌｅ：汎用加入者識別モジュール）１２と、ＮＡＳ機能１３と、ＡＳ（ＲＲＣ）機能１４とを具備している。
【００２３】
設定部１１には、ＭＴＣデバイスであるのか、或いは、ＭＴＣデバイスではない通常の移動端末ＵＥであるのかについて設定されるように構成されている。
【００２４】
具体的には、設定部１１には、ＭＴＣデバイスであると設定されている場合には、更に、「Ｎｏｒｍａｌ  ＭＴＣ」或いは「Ｌｏｗ  Ｐｒｉｏｒｉｔｙ  ＭＴＣ」のどちらに属するのかについて設定されるように構成されている。
【００２５】
ここで、かかる設定は、移動端末ＵＥの製造段階で行われてもよいし、ＯＭＡ-ＤＭ（Ｏｐｅｎ  Ｍｏｂｉｌｅ  Ａｌｌｉａｎｃｅ-Ｄｅｖｉｃｅ  Ｍａｎａｇｅｍｅｎｔ）プロトコル等によって行われてもよい。
【００２６】
ＵＳＩＭ１２には、移動端末ＵＥの加入者情報が設定されている。例えば、ＵＳＩＭ１２には、移動端末ＵＥのアクセスクラスが設定されている。具体的には、ＵＳＩＭ１２には、ＡＣ０〜９のいずれか１つが必ず設定され、加えて、ＡＣ１１〜１５（１つ又は複数）が設定可能である。
【００２７】
ＮＡＳ機能１３は、ＮＡＳ（Ｎｏｎ  Ａｃｃｅｓｓ  Ｓｔｒａｔｕｍ）レイヤの役割（アタッチ制御や位置登録制御や発着信制御等）を果たすように構成されている。
【００２８】
また、ＮＡＳ機能１３は、ＵＳＩＭ１２から、ＵＳＩＭ１２に保存されたアクセスクラス（ＡＣ）を取得するように構成されていてもよい。
【００２９】
ＡＳ（ＲＲＣ）機能１４は、ＡＳ（Ａｃｃｅｓｓ  Ｓｔｒａｔｕｍ）/ＲＲＣ（Ｒａｄｉｏ  Ｒｅｓｏｕｒｃｅ  Ｃｏｎｔｒｏｌ）レイヤの役割（無線発着信制御や無線リソース制御や無線測定制御等）を果たすように構成されている。
【００３０】
具体的には、ＡＳ（ＲＲＣ）機能１４は、ＮＡＳ機能１３から、移動端末ＵＥが「Ｎｏｒｍａｌ  ＭＴＣ」或いは「Ｌｏｗ  Ｐｒｉｏｒｉｔｙ  ＭＴＣ」のどちらに属するかについて示すタイプ情報を取得するように構成されている。
【００３１】
また、ＡＳ（ＲＲＣ）機能１４は、ＵＳＩＭ１２から、ＵＳＩＭ１２に保存されたアクセスクラス（ＡＣ）を取得するように構成されていてもよい。或いは、ＡＳ（ＲＲＣ）機能１４は、ＮＡＳ機能１３から、アクセスクラス（ＡＣ）を取得するように構成されていてもよい。
【００３２】
また、ＡＳ（ＲＲＣ）機能１４は、無線基地局ｅＮＢによって送信されている報知情報を受信するように構成されている。
【００３３】
例えば、ＡＳ（ＲＲＣ）機能１４は、かかる報知情報によって通知されている「ａｃ-Ｂａｒｒｉｎｇ  Ｆｏｒ  Ｎｏｒｍａｌ  ＭＴＣ」、「ａｃ-Ｂａｒｒｉｎｇ  Ｆｏｒ  Ｌｏｗ  Ｐｒｉｏｒｉｔｙ  ＭＴＣ」、「ａｃ-Ｂａｒｒｉｎｇ  Ｆｏｒ  Ｎｏｒｍａｌ  ＭＴＣ-ｒｏａｍｉｎｇ」及び「ａｃ-Ｂａｒｒｉｎｇ  Ｆｏｒ  Ｌｏｗ  Ｐｒｉｏｒｉｔｙ  ＭＴＣ-ｒｏａｍｉｎｇ」を取得するように構成されている。
【００３４】
また、ＡＳ（ＲＲＣ）機能１４は、移動端末ＵＥのアクセスクラス（ＡＣ）、「Ｎｏｒｍａｌ  ＭＴＣ」或いは「Ｌｏｗ  Ｐｒｉｏｒｉｔｙ  ＭＴＣ」のどちらに属するか、通常状態或いはローミング状態のいずれの状態にあるか、及び、「ａｃ-Ｂａｒｒｉｎｇ  Ｆｏｒ  Ｎｏｒｍａｌ  ＭＴＣ」、「ａｃ-Ｂａｒｒｉｎｇ  Ｆｏｒ  Ｌｏｗ  Ｐｒｉｏｒｉｔｙ  ＭＴＣ」、「ａｃ-Ｂａｒｒｉｎｇ  Ｆｏｒ  Ｎｏｒｍａｌ  ＭＴＣ-ｒｏａｍｉｎｇ」、「ａｃ-Ｂａｒｒｉｎｇ  Ｆｏｒ  Ｌｏｗ  Ｐｒｉｏｒｉｔｙ  ＭＴＣ-ｒｏａｍｉｎｇ」のどれが通知されているかに基づいて、アクセスが規制されているか否かについて判定するように構成されている。かかる判定については、図３及び図４を用いて詳述する。
【００３５】
以下、図３及び図４を参照して、本発明の第１の実施形態に係る移動端末ＵＥの動作、具体的には、上述の判定動作の一例について説明する。
【００３６】
図３に示すように、移動端末ＵＥのＡＳ（ＲＲＣ）機能１４は、ステップＳ１０１において、発信要求が発生したことを検出すると、ステップＳ１０２において、移動端末ＵＥが「Ｎｏｒｍａｌ  ＭＴＣ」或いは「Ｌｏｗ  Ｐｒｉｏｒｉｔｙ  ＭＴＣ」のどちらであるのかについて判定する。なお、図３及び図４の例において、移動端末ＵＥは、ＭＴＣデバイスとして設定されているものとする。
【００３７】
ＡＳ（ＲＲＣ）機能１４は、ステップＳ１０２において、移動端末ＵＥが「Ｎｏｒｍａｌ  ＭＴＣ」に属すると判定された場合、ステップＳ１０３において、移動端末ＵＥが「通常状態」或いは「ローミング状態」のどちらにあるか否かについて判定する。
【００３８】
ここで、「通常状態」は、移動端末ＵＥが、ＨＰＬＭＮ（Ｈｏｍｅ-Ｐｕｂｌｉｃ  Ｌａｎｄ  Ｍｏｂｉｌｅ  Ｎｅｔｗｏｒｋ）又はＥＰＬＭＮ（Ｅｑｕｉｖａｌｅｎｔ−ＰＬＭＮ）に登録されている状態、或いは、受信した報知情報にＨＰＬＭＮ又はＥＰＬＭＮの識別情報が含まれていることを検出しており、これらのいずれかを選択して発信を試みようとしている状態（すなわち、ＨＰＬＭＮ又はＥＰＬＭＮを「ｓｅｌｅｃｔｅｄ  ＰＬＭＮ」として選択している状態）である。
【００３９】
一方、「ローミング状態」は、移動端末ＵＥが、ＨＰＬＭＮ又はＥＰＬＭＮに登録されていない状態、或いは、受信した報知情報にＨＰＬＭＮ又はＥＰＬＭＮの識別情報が含まれていないことを検出しており、ＨＰＬＭＮ又はＥＰＬＭＮ以外のＰＬＭＮを選択して発信を試みようとしている状態（すなわち、ＨＰＬＭＮ又はＥＰＬＭＮ以外のＰＬＭＮを「ｓｅｌｅｃｔｅｄ  ＰＬＭＮ」として選択している状態）である。
【００４０】
ＡＳ（ＲＲＣ）機能１４は、ステップＳ１０３において、移動端末ＵＥが「通常状態」にあると判定した場合、ステップＳ１０４において、報知情報によって「ａｃ-Ｂａｒｒｉｎｇ  Ｆｏｒ  Ｎｏｒｍａｌ  ＭＴＣ」が通知されているか否かについて判定する。
【００４１】
ＡＳ（ＲＲＣ）機能１４は、ステップＳ１０４において、報知情報によって「ａｃ-Ｂａｒｒｉｎｇ  Ｆｏｒ  Ｎｏｒｍａｌ  ＭＴＣ」が通知されていると判定した場合、ステップＳ１０６において、図４に示す規制判定を行う。
【００４２】
図４に示すように、かかる規制判定では、ＡＳ（ＲＲＣ）機能１４は、ステップＳ２０１において、移動端末ＵＥがＡＣ１１〜１５のいずれかを有しているか否かについて判定する。
【００４３】
ＡＳ（ＲＲＣ）機能１４は、ステップＳ２０１において、移動端末ＵＥがＡＣ１１〜１５のいずれかを有していると判定した場合、ステップＳ２０２において、「ａｃ-Ｂａｒｒｉｎｇ  Ｆｏｒ  Ｎｏｒｍａｌ  ＭＴＣ」によって移動端末ＵＥが有しているＡＣ１１〜１５の全てがアクセス規制されているか否かについて判定する。
【００４４】
ＡＳ（ＲＲＣ）機能１４は、ステップＳ２０２において、アクセス規制されていると判定して場合、ステップＳ２０６において、「規制有」と判定する。
【００４５】
一方、ＡＳ（ＲＲＣ）機能１４は、ステップＳ２０１において、移動端末ＵＥがＡＣ１１〜１５のいずれも有していないと判定した場合、ステップＳ２０３において、乱数ｒａｎｄと「ａｃ-Ｂａｒｒｉｎｇ  Ｆｏｒ  Ｎｏｒｍａｌ  ＭＴＣ」に含まれている「ａｃ-Ｂａｒｒｉｎｇ  Ｆａｃｔｏｒ」に設定されている値とを比較する。
【００４６】
ＡＳ（ＲＲＣ）機能１４は、ステップＳ２０３において、乱数ｒａｎｄが「ａｃ-Ｂａｒｒｉｎｇ  Ｆｏｒ  Ｎｏｒｍａｌ  ＭＴＣ」に含まれている「ａｃ-Ｂａｒｒｉｎｇ  Ｆａｃｔｏｒ」に設定されている値よりも小さいと判定した場合、ステップＳ２０５において、「規制無」と判定する。
【００４７】
一方、ＡＳ（ＲＲＣ）機能１４は、ステップＳ２０３において、乱数ｒａｎｄが「ａｃ-Ｂａｒｒｉｎｇ  Ｆｏｒ  Ｎｏｒｍａｌ  ＭＴＣ」に含まれている「ａｃ-Ｂａｒｒｉｎｇ  Ｆａｃｔｏｒ」に設定されている値以上であると判定した場合、ステップＳ２０４において、Ｔ３０３タイマを設定・開始し、ステップＳ２０６において、「規制有」と判定する。
【００４８】
また、ＡＳ（ＲＲＣ）機能１４は、ステップＳ２０２において、アクセス規制されていると判定して場合、ステップＳ２０５において、「規制無」と判定する。
【００４９】
図３に戻り、ＡＳ（ＲＲＣ）機能１４は、ステップＳ１０６において、「規制有」と判定した場合、ステップＳ１０８において、ステップＳ１０１において発生した発信要求が規制されていると判定する。
【００５０】
一方、ＡＳ（ＲＲＣ）機能１４は、ステップＳ１０６において、「規制無」と判定した場合、ステップＳ１０９において、ステップＳ１０１において発生した発信要求が規制されていないと判定する。
【００５１】
また、ＡＳ（ＲＲＣ）機能１４は、ステップＳ１０４において、報知情報によって「ａｃ-Ｂａｒｒｉｎｇ  Ｆｏｒ  Ｎｏｒｍａｌ  ＭＴＣ」が通知されていないと判定した場合、ステップＳ１０９において、ステップＳ１０１において発生した発信要求が規制されていないと判定する。
【００５２】
ＡＳ（ＲＲＣ）機能１４は、ステップＳ１０３において、移動端末ＵＥが「ローミング状態」にあると判定した場合、ステップＳ１０５において、報知情報によって「ａｃ-Ｂａｒｒｉｎｇ  Ｆｏｒ  Ｎｏｒｍａｌ  ＭＴＣ-ｒｏａｍｉｎｇ」が通知されているか否かについて判定する。
【００５３】
ＡＳ（ＲＲＣ）機能１４は、ステップＳ１０５において、報知情報によって「ａｃ-Ｂａｒｒｉｎｇ  Ｆｏｒ  Ｎｏｒｍａｌ  ＭＴＣ-ｒｏａｍｉｎｇ」が通知されていると判定した場合、ステップＳ１０７において、図４に示す規制判定を行う。
【００５４】
図４に示すように、かかる規制判定では、ＡＳ（ＲＲＣ）機能１４は、ステップＳ２０１において、移動端末ＵＥがＡＣ１１〜１５のいずれかを有しているか否かについて判定する。
【００５５】
ＡＳ（ＲＲＣ）機能１４は、ステップＳ２０１において、移動端末ＵＥがＡＣ１１〜１５のいずれかを有していると判定した場合、ステップＳ２０２において、「ａｃ-Ｂａｒｒｉｎｇ  Ｆｏｒ  Ｎｏｒｍａｌ  ＭＴＣ-ｒｏａｍｉｎｇ」によって移動端末ＵＥが有しているＡＣ１１〜１５の全てがアクセス規制されているか否かについて判定する。
【００５６】
ＡＳ（ＲＲＣ）機能１４は、ステップＳ２０２において、アクセス規制されていると判定して場合、ステップＳ２０６において、「規制有」と判定する。
【００５７】
一方、ＡＳ（ＲＲＣ）機能１４は、ステップＳ２０１において、移動端末ＵＥがＡＣ１１〜１５のいずれも有していないと判定した場合、ステップＳ２０３において、乱数ｒａｎｄと「ａｃ-Ｂａｒｒｉｎｇ  Ｆｏｒ  Ｎｏｒｍａｌ  ＭＴＣ-ｒｏａｍｉｎｇ」に含まれている「ａｃ-Ｂａｒｒｉｎｇ  Ｆａｃｔｏｒ」に設定されている値とを比較する。
【００５８】
ＡＳ（ＲＲＣ）機能１４は、ステップＳ２０３において、乱数ｒａｎｄが「ａｃ-Ｂａｒｒｉｎｇ  Ｆｏｒ  Ｎｏｒｍａｌ  ＭＴＣ-ｒｏａｍｉｎｇ」に含まれている「ａｃ-Ｂａｒｒｉｎｇ  Ｆａｃｔｏｒ」に設定されている値よりも小さいと判定した場合、ステップＳ２０５において、「規制無」と判定する。
【００５９】
一方、ＡＳ（ＲＲＣ）機能１４は、ステップＳ２０３において、乱数ｒａｎｄが「ａｃ-Ｂａｒｒｉｎｇ  Ｆｏｒ  Ｎｏｒｍａｌ  ＭＴＣ-ｒｏａｍｉｎｇ」に含まれている「ａｃ-Ｂａｒｒｉｎｇ  Ｆａｃｔｏｒ」に設定されている値以上であると判定した場合、ステップＳ２０４において、Ｔ３０３タイマを設定・開始し、ステップＳ２０６において、「規制有」と判定する。
【００６０】
また、ＡＳ（ＲＲＣ）機能１４は、ステップＳ２０２において、アクセス規制されていると判定して場合、ステップＳ２０５において、「規制無」と判定する。
【００６１】
図３に戻り、ＡＳ（ＲＲＣ）機能１４は、ステップＳ１０７において、「規制有」と判定した場合、ステップＳ１１０において、ステップＳ１０１において発生した発信要求が規制されていると判定する。
【００６２】
一方、ＡＳ（ＲＲＣ）機能１４は、ステップＳ１０７において、「規制無」と判定した場合、ステップＳ１０９において、ステップＳ１０１において発生した発信要求が規制されていないと判定する。
【００６３】
また、ＡＳ（ＲＲＣ）機能１４は、ステップＳ１０４において、報知情報によって「ａｃ-Ｂａｒｒｉｎｇ  Ｆｏｒ  Ｎｏｒｍａｌ  ＭＴＣ-ｒｏａｍｉｎｇ」が通知されていないと判定した場合、ステップＳ１０９において、ステップＳ１０１において発生した発信要求が規制されていないと判定する。
【００６４】
ＡＳ（ＲＲＣ）機能１４は、ステップＳ１０２において、移動端末ＵＥが「Ｌｏｗ  Ｐｒｉｏｒｉｔｙ  ＭＴＣ」に属すると判定された場合、ステップＳ１１１において、移動端末ＵＥが「通常状態」或いは「ローミング状態」のどちらにあるか否かについて判定する。
【００６５】
ＡＳ（ＲＲＣ）機能１４は、ステップＳ１１１において、移動端末ＵＥが「通常状態」にあると判定した場合、ステップＳ１１２において、報知情報によって「ａｃ-Ｂａｒｒｉｎｇ  Ｆｏｒ  Ｌｏｗ  Ｐｒｉｏｒｉｔｙ  ＭＴＣ」が通知されているか否かについて判定する。
【００６６】
ＡＳ（ＲＲＣ）機能１４は、ステップＳ１１２において、報知情報によって「ａｃ-Ｂａｒｒｉｎｇ  Ｆｏｒ  Ｌｏｗ  Ｐｒｉｏｒｉｔｙ  ＭＴＣ」が通知されていると判定した場合、ステップＳ１１４において、図４に示す規制判定を行う。
【００６７】
図４に示すように、かかる規制判定では、ＡＳ（ＲＲＣ）機能１４は、ステップＳ２０１において、移動端末ＵＥがＡＣ１１〜１５のいずれかを有しているか否かについて判定する。
【００６８】
ＡＳ（ＲＲＣ）機能１４は、ステップＳ２０１において、移動端末ＵＥがＡＣ１１〜１５のいずれかを有していると判定した場合、ステップＳ２０２において、「ａｃ-Ｂａｒｒｉｎｇ  Ｆｏｒ  Ｌｏｗ  Ｐｒｉｏｒｉｔｙ  ＭＴＣ」によって移動端末ＵＥが有しているＡＣ１１〜１５の全てがアクセス規制されているか否かについて判定する。
【００６９】
ＡＳ（ＲＲＣ）機能１４は、ステップＳ２０２において、アクセス規制されていると判定して場合、ステップＳ２０６において、「規制有」と判定する。
【００７０】
一方、ＡＳ（ＲＲＣ）機能１４は、ステップＳ２０１において、移動端末ＵＥがＡＣ１１〜１５のいずれも有していないと判定した場合、ステップＳ２０３において、乱数ｒａｎｄと「ａｃ-Ｂａｒｒｉｎｇ  Ｆｏｒ  Ｌｏｗ  Ｐｒｉｏｒｉｔｙ  ＭＴＣ」に含まれている「ａｃ-Ｂａｒｒｉｎｇ  Ｆａｃｔｏｒ」に設定されている値とを比較する。
【００７１】
ＡＳ（ＲＲＣ）機能１４は、ステップＳ２０３において、乱数ｒａｎｄが「ａｃ-Ｂａｒｒｉｎｇ  Ｆｏｒ  Ｌｏｗ  Ｐｒｉｏｒｉｔｙ  ＭＴＣ」に含まれている「ａｃ-Ｂａｒｒｉｎｇ  Ｆａｃｔｏｒ」に設定されている値よりも小さいと判定した場合、ステップＳ２０５において、「規制無」と判定する。
【００７２】
一方、ＡＳ（ＲＲＣ）機能１４は、ステップＳ２０３において、乱数ｒａｎｄが「ａｃ-Ｂａｒｒｉｎｇ  Ｆｏｒ  Ｌｏｗ  Ｐｒｉｏｒｉｔｙ  ＭＴＣ」に含まれている「ａｃ-Ｂａｒｒｉｎｇ  Ｆａｃｔｏｒ」に設定されている値以上であると判定した場合、ステップＳ２０４において、Ｔ３０３タイマを設定・開始し、ステップＳ２０６において、「規制有」と判定する。
【００７３】
また、ＡＳ（ＲＲＣ）機能１４は、ステップＳ２０２において、アクセス規制されていると判定して場合、ステップＳ２０５において、「規制無」と判定する。
【００７４】
図３に戻り、ＡＳ（ＲＲＣ）機能１４は、ステップＳ１１４において、「規制有」と判定した場合、ステップＳ１１６において、ステップＳ１０１において発生した発信要求が規制されていると判定する。
【００７５】
一方、ＡＳ（ＲＲＣ）機能１４は、ステップＳ１１４において、「規制無」と判定した場合、ステップＳ１１７において、ステップＳ１０１において発生した発信要求が規制されていないと判定する。
【００７６】
また、ＡＳ（ＲＲＣ）機能１４は、ステップＳ１１２において、報知情報によって「ａｃ-Ｂａｒｒｉｎｇ  Ｆｏｒ  Ｌｏｗ  Ｐｒｉｏｒｉｔｙ  ＭＴＣ」が通知されていないと判定した場合、ステップＳ１１７において、ステップＳ１０１において発生した発信要求が規制されていないと判定する。
【００７７】
ＡＳ（ＲＲＣ）機能１４は、ステップＳ１１１において、移動端末ＵＥが「ローミング状態」にあると判定した場合、ステップＳ１１３において、報知情報によって「ａｃ-Ｂａｒｒｉｎｇ  Ｆｏｒ  Ｌｏｗ  Ｐｒｉｏｒｉｔｙ  ＭＴＣ-ｒｏａｍｉｎｇ」が通知されているか否かについて判定する。
【００７８】
ＡＳ（ＲＲＣ）機能１４は、ステップＳ１１３において、報知情報によって「ａｃ-Ｂａｒｒｉｎｇ  Ｆｏｒ  Ｌｏｗ  Ｐｒｉｏｒｉｔｙ  ＭＴＣ-ｒｏａｍｉｎｇ」が通知されていると判定した場合、ステップＳ１１５において、図４に示す規制判定を行う。
【００７９】
図４に示すように、かかる規制判定では、ＡＳ（ＲＲＣ）機能１４は、ステップＳ２０１において、移動端末ＵＥがＡＣ１１〜１５のいずれかを有しているか否かについて判定する。
【００８０】
ＡＳ（ＲＲＣ）機能１４は、ステップＳ２０１において、移動端末ＵＥがＡＣ１１〜１５のいずれかを有していると判定した場合、ステップＳ２０２において、「ａｃ-Ｂａｒｒｉｎｇ  Ｆｏｒ  Ｌｏｗ  Ｐｒｉｏｒｉｔｙ  ＭＴＣ-ｒｏａｍｉｎｇ」によって移動端末ＵＥが有しているＡＣ１１〜１５の全てがアクセス規制されているか否かについて判定する。
【００８１】
ＡＳ（ＲＲＣ）機能１４は、ステップＳ２０２において、アクセス規制されていると判定して場合、ステップＳ２０６において、「規制有」と判定する。
【００８２】
一方、ＡＳ（ＲＲＣ）機能１４は、ステップＳ２０１において、移動端末ＵＥがＡＣ１１〜１５のいずれも有していないと判定した場合、ステップＳ２０３において、乱数ｒａｎｄと「ａｃ-Ｂａｒｒｉｎｇ  Ｆｏｒ  Ｌｏｗ  Ｐｒｉｏｒｉｔｙ  ＭＴＣ-ｒｏａｍｉｎｇ」に含まれている「ａｃ-Ｂａｒｒｉｎｇ  Ｆａｃｔｏｒ」に設定されている値とを比較する。
【００８３】
ＡＳ（ＲＲＣ）機能１４は、ステップＳ２０３において、乱数ｒａｎｄが「ａｃ-Ｂａｒｒｉｎｇ  Ｆｏｒ  Ｌｏｗ  Ｐｒｉｏｒｉｔｙ  ＭＴＣ-ｒｏａｍｉｎｇ」に含まれている「ａｃ-Ｂａｒｒｉｎｇ  Ｆａｃｔｏｒ」に設定されている値よりも小さいと判定した場合、ステップＳ２０５において、「規制無」と判定する。
【００８４】
一方、ＡＳ（ＲＲＣ）機能１４は、ステップＳ２０３において、乱数ｒａｎｄが「ａｃ-Ｂａｒｒｉｎｇ  Ｆｏｒ  Ｌｏｗ  Ｐｒｉｏｒｉｔｙ  ＭＴＣ-ｒｏａｍｉｎｇ」に含まれている「ａｃ-Ｂａｒｒｉｎｇ  Ｆａｃｔｏｒ」に設定されている値以上であると判定した場合、ステップＳ２０４において、Ｔ３０３タイマを設定・開始し、ステップＳ２０６において、「規制有」と判定する。
【００８５】
また、ＡＳ（ＲＲＣ）機能１４は、ステップＳ２０２において、アクセス規制されていると判定して場合、ステップＳ２０５において、「規制無」と判定する。
【００８６】
図３に戻り、ＡＳ（ＲＲＣ）機能１４は、ステップＳ１１５において、「規制有」と判定した場合、ステップＳ１１８において、ステップＳ１０１において発生した発信要求が規制されていると判定する。
【００８７】
一方、ＡＳ（ＲＲＣ）機能１４は、ステップＳ１１５において、「規制無」と判定した場合、ステップＳ１１７において、ステップＳ１０１において発生した発信要求が規制されていないと判定する。
【００８８】
また、ＡＳ（ＲＲＣ）機能１４は、ステップＳ１１３において、報知情報によって「ａｃ-Ｂａｒｒｉｎｇ  Ｆｏｒ  Ｌｏｗ  Ｐｒｉｏｒｉｔｙ  ＭＴＣ-ｒｏａｍｉｎｇ」が通知されていないと判定した場合、ステップＳ１１７において、ステップＳ１０１において発生した発信要求が規制されていないと判定する。
【００８９】
なお、ステップＳ１０２の動作とステップＳ１０３/Ｓ１１１の動作との間で、順番を入れ替えてもよい。
【００９０】
また、ＡＳ（ＲＲＣ）機能１４は、ステップＳ１０９及びＳ１１７に至る手前に、「ａｃ-ＢａｒｒｉｎｇＦｏｒＭＯ-Ｄａｔａ」又は「ａｃ-ＢａｒｒｉｎｇＦｏｒＭＯ-Ｓｉｇｎａｌｌｉｎｇ」が報知されているか否かについて確認し、かかる情報が報知されている場合に、これに従って規制判定を更に行ってもよい。
【００９１】
具体的には、ステップＳ１０４、Ｓ１０５、Ｓ１１２及びＳ１１３において、「Ｎｏ」と判定された場合に、ＡＳ（ＲＲＣ）機能１４は、「ａｃ-ＢａｒｒｉｎｇＦｏｒＭＯ-Ｄａｔａ」又は「ａｃ-ＢａｒｒｉｎｇＦｏｒＭＯ-Ｓｉｇｎａｌｌｉｎｇ」が報知されているか否かについて確認し、かかる情報が報知されている場合に、これに従って規制判定を更に行ってもよい。
【００９２】
或いは、ステップＳ１０６、Ｓ１０７、Ｓ１１４及びＳ１１５において、「規制無」と判定された場合に、ＡＳ（ＲＲＣ）機能１４は、「ａｃ-ＢａｒｒｉｎｇＦｏｒＭＯ-Ｄａｔａ」又は「ａｃ-ＢａｒｒｉｎｇＦｏｒＭＯ-Ｓｉｇｎａｌｌｉｎｇ」が報知されているかについて確認し、かかる情報が報知されている場合に、これに従って規制判定を更に行ってもよい。
【００９３】
また、本実施形態では、ＡＳ（ＲＲＣ）機能１４が、「通常状態」及び「ローミング状態」のどちらに属するかについての判定を行っていたが、ＮＡＳ機能１３が、かかる判定を行い、かかる判定結果についてＡＳ（ＲＲＣ）機能１４に対して通知してもよい。
【００９４】
また、ＵＳＩＭ１２が保持するＡＣ１１〜１５が有効な場合は、「ａｃ-Ｂａｒｒｉｎｇ  Ｆｏｒ  Ｎｏｒｍａｌ  ＭＴＣ」、「ａｃ-Ｂａｒｒｉｎｇ  Ｆｏｒ  Ｌｏｗ  Ｐｒｉｏｒｉｔｙ  ＭＴＣ」、「ａｃ-Ｂａｒｒｉｎｇ  Ｆｏｒ  Ｎｏｒｍａｌ  ＭＴＣ-ｒｏａｍｉｎｇ」及び「ａｃ-Ｂａｒｒｉｎｇ  Ｆｏｒ  Ｌｏｗ  Ｐｒｉｏｒｉｔｙ  ＭＴＣ-ｒｏａｍｉｎｇ」に係る規制判定に先立ち、「ａｃ-ＢａｒｒｉｎｇＦｏｒＭＯ-Ｄａｔａ」又は「ａｃ-ＢａｒｒｉｎｇＦｏｒＭＯ-Ｓｉｇｎａｌｌｉｎｇ」に含まれる「ａｃ-ＢａｒｒｉｎｇＦｏｒＳｐｅｃｉａｌＡＣ」に係る規制判定を実行し、その結果、「規制無」と判定された場合は、「ａｃ-Ｂａｒｒｉｎｇ  Ｆｏｒ  Ｎｏｒｍａｌ  ＭＴＣ」、「ａｃ-Ｂａｒｒｉｎｇ  Ｆｏｒ  Ｌｏｗ  Ｐｒｉｏｒｉｔｙ  ＭＴＣ」、「ａｃ-Ｂａｒｒｉｎｇ  Ｆｏｒ  Ｎｏｒｍａｌ  ＭＴＣ-ｒｏａｍｉｎｇ」及び「ａｃ-Ｂａｒｒｉｎｇ  Ｆｏｒ  Ｌｏｗ  Ｐｒｉｏｒｉｔｙ  ＭＴＣ-ｒｏａｍｉｎｇ」に係る規制判定を省き、最終的に「規制無」と判定されてもよい。  ＵＳＩＭ１２に保持されたＡＣ１１〜１５が有効であるか否かは、ＨＰＬＭＮに在圏しているか否かで判定される。
【００９５】
本発明の第１の実施形態に係る移動通信システムによれば、「ａｃ-Ｂａｒｒｉｎｇ  Ｆｏｒ  Ｎｏｒｍａｌ  ＭＴＣ」、「ａｃ-Ｂａｒｒｉｎｇ  Ｆｏｒ  Ｌｏｗ  Ｐｒｉｏｒｉｔｙ  ＭＴＣ」、「ａｃ-Ｂａｒｒｉｎｇ  Ｆｏｒ  Ｎｏｒｍａｌ  ＭＴＣ-ｒｏａｍｉｎｇ」、「ａｃ-Ｂａｒｒｉｎｇ  Ｆｏｒ  Ｌｏｗ  Ｐｒｉｏｒｉｔｙ  ＭＴＣ-ｒｏａｍｉｎｇ」を用いて、ローミング状態のＭＴＣデバイスと通常状態のＭＴＣデバイスとの間で、アクセス規制の方法を変更することができる。
【００９６】
以上に述べた本実施形態の特徴は、以下のように表現されていてもよい。
【００９７】
本実施形態の第１の特徴は、移動端末ＵＥと無線基地局ｅＮＢとを具備している移動通信システムであって、無線基地局ｅＮＢは、配下のセルにおいて、報知情報によって、通常状態にある「Ｎｏｒｍａｌ  ＭＴＣ（第１タイプ）」の移動端末ＵＥのアクセスを規制するための「ａｃ-Ｂａｒｒｉｎｇ  Ｆｏｒ  Ｎｏｒｍａｌ  ＭＴＣ（通常状態用第１アクセス情報）」、通常状態にある「Ｌｏｗ  Ｐｒｉｏｒｉｔｙ  ＭＴＣ（第２タイプ）」の移動端末ＵＥのアクセスを規制するための「ａｃ-Ｂａｒｒｉｎｇ  Ｆｏｒ  Ｌｏｗ  Ｐｒｉｏｒｉｔｙ  ＭＴＣ（通常状態用第２アクセス情報）」、ローミング状態にある「Ｎｏｒｍａｌ  ＭＴＣ」の移動端末ＵＥのアクセスを規制するための「ａｃ-Ｂａｒｒｉｎｇ  Ｆｏｒ  Ｎｏｒｍａｌ  ＭＴＣ-ｒｏａｍｉｎｇ（ローミング状態用第１アクセス情報）」、及び、ローミング状態にある「Ｌｏｗ  Ｐｒｉｏｒｉｔｙ  ＭＴＣ」の移動端末ＵＥのアクセスを規制するための「ａｃ-Ｂａｒｒｉｎｇ  Ｆｏｒ  Ｌｏｗ  Ｐｒｉｏｒｉｔｙ  ＭＴＣ-ｒｏａｍｉｎｇ（ローミング状態用第２アクセス情報）」を通知することができるように構成されており、移動端末ＵＥは、移動端末ＵＥのアクセスクラス（ＡＣ）、「Ｎｏｒｍａｌ  ＭＴＣ」或いは「Ｌｏｗ  Ｐｒｉｏｒｉｔｙ  ＭＴＣ」のどちらに属するか、通常状態或いはローミング状態のいずれの状態にあるか、及び、「ａｃ-Ｂａｒｒｉｎｇ  Ｆｏｒ  Ｎｏｒｍａｌ  ＭＴＣ」、「ａｃ-Ｂａｒｒｉｎｇ  Ｆｏｒ  Ｌｏｗ  Ｐｒｉｏｒｉｔｙ  ＭＴＣ」、「ａｃ-Ｂａｒｒｉｎｇ  Ｆｏｒ  Ｎｏｒｍａｌ  ＭＴＣ-ｒｏａｍｉｎｇ」、「ａｃ-Ｂａｒｒｉｎｇ  Ｆｏｒ  Ｌｏｗ  Ｐｒｉｏｒｉｔｙ  ＭＴＣ-ｒｏａｍｉｎｇ」のどれが通知されているかに基づいて、アクセスが規制されているか否かについて判定するように構成されていることを要旨とする。
【００９８】
本実施形態の第２の特徴は、移動端末ＵＥであって、移動端末ＵＥのアクセスクラス（ＡＣ）、「Ｎｏｒｍａｌ  ＭＴＣ」或いは「Ｌｏｗ  Ｐｒｉｏｒｉｔｙ  ＭＴＣ」のどちらに属するか、通常状態或いはローミング状態のいずれの状態にあるか、及び、「ａｃ-Ｂａｒｒｉｎｇ  Ｆｏｒ  Ｎｏｒｍａｌ  ＭＴＣ」、「ａｃ-Ｂａｒｒｉｎｇ  Ｆｏｒ  Ｌｏｗ  Ｐｒｉｏｒｉｔｙ  ＭＴＣ」、「ａｃ-Ｂａｒｒｉｎｇ  Ｆｏｒ  Ｎｏｒｍａｌ  ＭＴＣ-ｒｏａｍｉｎｇ」、「ａｃ-Ｂａｒｒｉｎｇ  Ｆｏｒ  Ｌｏｗ  Ｐｒｉｏｒｉｔｙ  ＭＴＣ-ｒｏａｍｉｎｇ」のどれが通知されているかに基づいて、アクセスが規制されているか否かについて判定するように構成されていることを要旨とする。
【００９９】
本実施形態の第２の特徴において、移動端末ＵＥは、ＡＳ（ＲＲＣ）機能１４と、ＮＡＳ機能１３と、ＵＳＩＭ１２とを具備しており、ＡＳ（ＲＲＣ）機能１４は、ＵＳＩＭ１２から、移動端末ＵＥのアクセスクラス（ＡＣ）を取得するように構成されており、ＡＳ（ＲＲＣ）機能１４は、ＮＡＳ機能１３から、移動端末ＵＥが「Ｎｏｒｍａｌ  ＭＴＣ」或いは「Ｌｏｗ  Ｐｒｉｏｒｉｔｙ  ＭＴＣ」のどちらに属するかについて示すタイプ情報を取得するように構成されており、ＡＳ（ＲＲＣ）機能１４は、報知情報を受信するように構成されており、ＡＳ（ＲＲＣ）機能１４は、上述の判定を行うように構成されていてもよい。
【０１００】
本実施形態の第１及び第２の特徴において、通常状態は、移動端末ＵＥがＨＰＬＭＮ（ホームネットワーク）に登録されている状態、或いは、上述のセルにおける報知情報にＨＰＬＭＮの識別情報が含まれている状態であり、ローミング状態は、移動端末ＵＥがＨＰＬＭＮに登録されていない状態、或いは、上述のセルにおける報知情報にＨＰＬＭＮの識別情報が含まれていない状態であってもよい。
【０１０１】
なお、上述の無線基地局ｅＮＢや移動端末ＵＥの動作は、ハードウェアによって実施されてもよいし、プロセッサによって実行されるソフトウェアモジュールによって実施されてもよいし、両者の組み合わせによって実施されてもよい。
【０１０２】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【０１０３】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、無線基地局ｅＮＢや移動端末ＵＥ内に設けられていてもよい。また、かかる記憶媒体及びプロセッサは、ディスクリートコンポーネントとして無線基地局ｅＮＢや移動端末ＵＥ内に設けられていてもよい。
【０１０４】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【符号の説明】
【０１０５】
ｅＮＢ…無線基地局
ＵＥ…移動端末
１１…設定部
１２…ＵＳＩＭ
１３…ＮＡＳ機能
１４…ＡＳ（ＲＲＣ）機能
【図１】
0005536617.tif 000002
【図２】
0005536617.tif 000003
【図３】
0005536617.tif 000004
【図４】
0005536617.tif 000005